(57)【要約】【課題】垂直面、或いは水平面の何れにも簡単操作で取り付けできる使い勝手の良い物品取付具を提供する。【解決手段】掛吊用部材１を取着する取着機構９、１０の上部に底面円弧状の開口凹溝１１を設けた取付本体５と、対向垂直片１３、１３を前記開口凹溝１１に枢着した起倒自在の取付板７と、前記対向垂直片１３、１３に係合する形で前記取付板７と前記取付本体５の間に介装して当該取付板７の起倒動作を固定する着脱自在の固定リング８とで構成される。【選択図】　　図２
2004105430.tif 000002
【特許請求の範囲】
【請求項１】
掛吊用部材（１）を取着する取着機構（９、１０）の上部に開口凹溝（１１）を設けた取付本体（５）と、対向垂直片（１３、１３）を前記開口凹溝（１１）に枢着した起倒自在の取付板（７）と、前記対向垂直片（１３、１３）に係合する形で前記取付板（７）と前記取付本体（５）の間に介装して当該取付板（７）の起倒動作を固定する着脱自在の固定リング（８）とで構成されることを特徴とする物品取付具。
【発明の詳細な説明】
【０００１】
【発明の属する技術分野】
本発明は、布巾掛けやタオル掛け、或いはフック等の掛吊用部材を垂直、或いは水平の何れの取付対象面にも止着可能とする物品取付具に関するものである。
【０００２】
【従来の技術】
従来から知られている掛吊具類は、複数の掛け竿（掛吊用部材）の基部を取付本体に回動自在に軸止した構造を有し、主として垂直な壁面に取り付けるようになっている。このような壁付けの構造では、掛吊具類を吊り戸棚等の棚板の下の狭い空間を活用して取り付けようとしてもそれはできず、狭い台所の中で不便な思いをしていた。
このような不便さを解消するものとして、取付対象面を垂直と水平の２方向に任意に選択して取付できる便利な吊掛具も提案されている（例えば、特許文献１、実用新案文献１）。
【０００３】
【特許文献１】
特開平９−２９９２１８号公報
【実用新案文献１】
実開平２−１０９５４５号公報
【０００４】
【発明が解決しようとする課題】
しかしながら、上記公報の開示技術は、何れも掛吊用部材を組み付けた取付本体と、取付対象面に止着される取付板をそれぞれ別体で形成したものであるから、構造も複雑であると共に、取り付けに際しては、先ず、取付板を垂直面や水平面の適所に固着した後、取付板の係合部に取付本体の係合部を係合するというような面倒な作業を必要とした。
【０００５】
本発明は、上記問題に鑑みて成されたもので、垂直面、或いは水平面の何れにも簡単操作で取り付けできる使い勝手の良い物品取付具を提供することを目的としている。
【０００６】
【課題を解決するための手段】
すなわち、請求項１に記載の本発明は、掛吊用部材を取着する取着機構の上部に開口凹溝を設けた取付本体と、対向垂直片を前記開口凹溝に枢着した起倒自在の取付板と、前記対向垂直片に係合する形で前記取付板と前記取付本体の間に介装して当該取付板の起倒動作を固定する着脱自在の固定リングとで構成される。
【０００７】
本構成では、固定リングを取り外すことにより、取付板は起倒自在となるから、取付対象面に応じて取付板を起／倒した後、固定リングでその状態を固定すれば良い。例えば、壁面に取り付ける場合は取付板を倒し、棚板等の下に取り付ける場合は取付板を起こすようにする。取付対象面への止着は、両面テープやネジ止め等で行う。
【０００８】
【発明の実施の形態】
以下、図面に基づいて本発明に係る物品取付具の実施形態を説明する。
【０００９】
図１は、掛吊用部材である布巾掛けを縦に３個並べて組み付けた物品取付具の例を示し、図２は、その分解斜視図である。
【００１０】
図１、２に示すように、布巾掛け１は、中心孔２を有する胴部３に、吊着のためのアームリング４を突設したものである。
【００１１】
一方、この布巾掛け１を組み付けるための物品取付具は、キャップ６と、取付本体５と、取付板７と、固定リング８とで構成される。これらは何れも合成樹脂製である。
【００１２】
キャップ６は、半球状の頭部１８に前記布巾掛け１の中心孔２が遊嵌する軸筒９を突設して成る。取付本体５は下方にキャップ６の軸筒９に挿嵌される支軸１０を設け、このキャップ６の筒軸９と取付本体５の支軸１０とで布巾掛け１を回動自在に軸着する取着機構を構成している。
【００１３】
また、この取着機構の上部円筒部には、頂面と側面に向けて開口した底面円弧状の凹溝１１が設けてあり、且つ、この開口凹溝１１の両側壁に凹部１１ａ、１１ａが相対向して形成してある。
【００１４】
取付板７は、円板１２の中央部より所定の隙間を持って相対向する先端を丸くした２枚の垂直片１３、１３を垂設したもので、且つ、この垂直片１３、１３に前記凹溝１１の凹部１１ａ、１１ａに係合する凸部１３ａ、１３ａが形成してある。
この垂直片１３、１３の間の隙間を押し窄めて取付本体５の凹溝１１に嵌入すると、その弾性復帰により垂直片１３の凸部１３ａが凹溝１１の凹部１１ａに係合して、取付板７は起倒自在となる。尚、この取付板７を起立状態にした時、取付板７と取付本体５の頂面の間に所定の隙間が生じ、取付板を倒した状態では、取付本体５の側面との間に同様の隙間が生じるようになっている。また、この取付板７の裏面に取付対象面に固定するための両面テープ１４が貼り付けてある。
【００１５】
固定リング８は、先端部を楔形とした左右一対の挟持片１６、１６で成る扁平体１９と、この扁平体１９の下方に垂設した嵌合片１７とで成る。この嵌合片１７を間に配置して、挟持片１６、１６の内側辺で垂直片１３、１３を両側から挟持するように取付板７と本体部５の間に固定リング８を嵌入することにより、取付板７の起倒自在動作を固定し、起／倒の何れかの状態に保持することができる。この固定リング８は着脱自在である。
【００１６】
図３および図４は、この物品取付具を吊り戸棚等の棚板の下等に取り付ける場合（天井付け）を示しており、図示のように、布巾掛け１の胴部３がキャップ６の軸筒９に遊嵌されると共に、この筒軸９に挿嵌された取付本体５の支軸１０がキャップ６にネジ２０止めされている。これにより、布巾掛け１は脱落せず、取付本体５に回動自在に組み付けられる。
取付板７は起立状態とされ、取付本体５の頂面との間に上記要領にて横方向より固定リング８が介装されて、取付本体５を懸垂状態に固定している。
この状態でアームリング４は３６０°回転する。従って、使用時、アームリング４を使い易い方向に任意に位置決めでき、且つ、使用しない時は邪魔にならないように後側に回して収納しておくこともできる。
【００１７】
図５は、物品取付具を壁面等に取り付ける場合（壁付け）を示している。この場合、取付板７は倒れ状態とし、取付本体５の側面との間に固定リング８が上方より介装される。
このように、上記した天井付け或いは壁付けの何れの止着態様であっても、固定リング８を取り外して取付板７を起倒自在の状態とし、取付対象面に応じて起／倒するたけの簡単操作で容易に対応することができる。
尚、棚板や壁面への止着手段は、取付板７の両面テープ１４による貼着の他、図１（ｃ）に示す取付板７のネジ穴１５、１５を利用したネジ止めとすることもできる。
【００１８】
以上、本実施形態では、掛吊用部材として布巾掛けを示したが、これに限定されず、タオル掛けやフック等様々なものに適用できる。但し、これら掛吊用部材は、上記した布巾掛けと同様に、キャップ６の軸筒９に遊嵌する共通の中心孔２を有する胴部３を備えている必要がある。
【００１９】
【発明の効果】
以上説明したように、本発明によれば、掛吊用部材を組み付ける取付本体に取付板を起倒自在に設けたので、垂直、或いは水平の何れの取付対象面にも掛吊用部材を自由に取り付けることができ、掛吊用部材の使い勝手を良好にできる。また、構造が簡単であるから、取り付け作業は容易である。
【図面の簡単な説明】
【図１】本発明に係る物品取付具を示し、（ａ）および（ｂ）は側面図、（ｃ）は平面図。
【図２】本発明に係る物品取付具の分解斜視図。
【図３】図１のＢ−Ｂ断面図。
【図４】図１のＡ−Ａ断面図。
【図５】垂直面取付用とした物品取付具の縦断面図。
【符号の説明】
１　掛吊用部材（布巾掛け）
５　取付本体
７　取付板
８　固定リング
９　軸筒
１０　支軸
１３　垂直片
【図１】
2004105430.tif 000003
【図２】
2004105430.tif 000004
【図３】
2004105430.tif 000005
【図４】
2004105430.tif 000006
【図５】
2004105430.tif 000007